(57)【要約】【課題】例えば煎茶においては、原産地、栽培環境が明確な煎茶をミネラルウォーターと混入して安心して飲用することができ、また薬品においては、処方箋に従って調合して服用することができる二重蓋付き容器を提供することにある。【解決手段】口部２を有し、液体を収容する容器本体１と、口部に密封状態に設けられ、内部に外蓋シール壁９によって区画して混入物１０を収容する収容部１１を形成した外蓋４と、外蓋の内部に設けられ、外蓋シール壁と水密に接合する内蓋シール壁１２を有する内蓋５と、外蓋シール壁及び内蓋シール壁に開口して設けられ、外蓋を回すことにより、容器本体の内部と前記外蓋の収容部とが連通し、混入物が容器本体の内部の液体に混入可能な連通部１７，１８と、外蓋及び内蓋に設けられ、外蓋の開栓操作により、互いに係合して内蓋が外蓋と一緒に開栓される係合部とからなる。【選択図】    図２
2004155430.tif 000002
【特許請求の範囲】
【請求項１】
口部を有し、液体を収容する容器本体と、
前記口部に密封状態に設けられ、内部に外蓋シール壁によって区画して混入物を収容する収容部を形成した外蓋と、
前記外蓋の内部に設けられ、前記外蓋シール壁と水密に接合する内蓋シール壁を有する内蓋と、
前記外蓋シール壁及び内蓋シール壁に開口して設けられ、前記外蓋を回すことにより、前記容器本体の内部と前記外蓋の収容部とが連通し、前記混入物が容器本体の内部の液体に混入可能な連通部と、
前記外蓋及び内蓋に設けられ、前記外蓋の開栓操作により、互いに係合して内蓋が外蓋と一緒に開栓される係合部と、
を具備したことを特徴とする二重蓋付き容器。
【請求項２】
前記連通部は、外蓋シール壁及び内蓋シール壁の一部に設けられ、外蓋が容器本体の口部に密封状態に施栓されているときには、前記連通部は、外蓋シール壁もしくは内蓋シール壁の非連通部に対向して密封されていることを特徴とする請求項１記載の二重蓋付き容器。
【請求項３】
液体を収容する容器本体の口部に着脱可能に装着される二重蓋であって、
前記二重蓋は、前記容器本体の口部に密封状態に設けられ、内部に外蓋シール壁によって区画された混入物を収容する収容部を形成した外蓋と、
前記外蓋の内部に設けられ、前記外蓋シール壁と水密に接合する内蓋シール壁を有する内蓋と、
前記外蓋シール壁及び内蓋シール壁に開口して設けられ、前記外蓋を回すことにより、前記容器本体の内部と前記外蓋の収容物とが連通し、混入物が容器本体の内部の液体に混入可能な連通部と、
から構成されていることを特徴とする二重蓋。
【発明の詳細な説明】
【０００１】
【発明の属する技術分野】
この発明は、例えば、煎茶、コーヒー、紅茶等の飲料水あるいは薬品等を収容する二重蓋付き容器及び二重蓋に関する。
【０００２】
【従来の技術】
煎茶、ウーロン茶、ジュースやコーラ等の清涼飲料水を収容する、ポリエチレンテレフタレート製の容器は、通称ペットボトルとして普及している。このペットボトルは、透明もしくは半透明で内容物の液面が外部から透視できるため、内容物の有無が分かる。
【０００３】
従って、容器の内容物が清涼飲料水の場合、開栓して１回で飲み干すことは少なく、適量だけ飲んだ後、施栓をして保管し、再び開栓して飲むという、数回に亘って飲料することができる。また軽量、耐衝撃性を有することから運搬及び携帯に便利である。
【０００４】
ところで、ペットボトル等の容器に収容された清涼飲料水としての煎茶について述べると、ミネラルウォーター等の液体に煎茶粉末を混入したもの、あるいは煎茶葉を煎じたものを容器に詰めたものである。また、清涼飲料水の容器の外表面に貼着されたラベルには内容物の原産地、成分等の表示がなされている。
【０００５】
一方、容器の蓋体を三重構造とし、蓋体の内部に混入物を収容し、開栓と同時に混入物が容器内に落下もしくは流出して混入物が容器内の液体と混合するようにした用時混合容器が知られている（例えば、特許文献１参照）。
【０００６】
【特許文献１】
特許第３２２８３７６号公報（請求項１〜５及び図１〜図１５）
【０００７】
【発明が解決しようとする課題】
しかし、ラベルに表示された内容物の原産地、成分等が表示されていても、実際にその煎茶葉がどのような環境下で栽培された煎茶葉であるか、ユーザーにとっては知ることは不可能である。特に、人間に有害な農薬を使用して栽培されていても、知らずに飲用している場合も考えられる。
【０００８】
また、容器に詰められた内容物はメーカーや種類によって多少の濃度、口当たりは異なるため、自分の好みで選択して購入しているが、自分の好みの濃度や味に調合することはできない。
【０００９】
また、特許文献１は、医薬品の容器であって、外蓋の開栓と同時に混入物が容器内に落下もしくは流出して混入物が容器内の液体と混合する構造であるが、外蓋の開栓操作によって上中蓋が外蓋と係合して開栓されても、下中蓋は容器の口部に装着されたままである。従って、下中蓋の開口部から服用するか、外蓋と上中蓋を開栓後、下中蓋を取り外して容器の口部を開口するという面倒な操作が必要であり、清涼飲料水等の容器の蓋体としては適さない構造である。
【００１０】
この発明は、前記事情に着目してなされたもので、その目的とするところは、飲用する際に容器本体の蓋体を開栓操作することにより、蓋体に収容された混入物が容器本体に収容された液体と混入し、清涼飲料水においては自分の好みの味に調合することができ、例えば煎茶においては、原産地、栽培環境が明確な煎茶をミネラルウォーターと混入して安心して飲用することができ、また薬品においては、処方箋に従って調合して服用することができる二重蓋付き容器及び二重蓋を提供することにある。
【００１１】
【課題を解決するための手段】
この発明は、前述した目的を達成するために、請求項１は、口部を有し、液体を収容する容器本体と、前記口部に密封状態に設けられ、内部に外蓋シール壁によって区画して混入物を収容する収容部を形成した外蓋と、前記外蓋の内部に設けられ、前記外蓋シール壁と水密に接合する内蓋シール壁を有する内蓋と、前記外蓋シール壁及び内蓋シール壁に開口して設けられ、前記外蓋を回すことにより、前記容器本体の内部と前記外蓋の収容部とが連通し、前記混入物が容器本体の内部の液体に混入可能な連通部と、前記外蓋及び内蓋に設けられ、前記外蓋の開栓操作により、互いに係合して内蓋が外蓋と一緒に開栓される係合部とを具備したことを特徴とする二重蓋付き容器にある。
【００１２】
請求項２は、請求項１の前記連通部は、外蓋シール壁及び内蓋シール壁の一部に設けられ、外蓋が容器本体の口部に密封状態に施栓されているときには、前記連通部は、外蓋シール壁もしくは内蓋シール壁の非連通部に対向して密封されていることを特徴とする。
【００１３】
請求項３は、液体を収容する容器本体の口部に着脱可能に装着される二重蓋であって、前記二重蓋は、前記容器本体の口部に密封状態に設けられ、内部に外蓋シール壁によって区画された混入物を収容する収容部を形成した外蓋と、前記外蓋の内部に設けられ、前記外蓋シール壁と水密に接合する内蓋シール壁を有する内蓋と、前記外蓋シール壁及び内蓋シール壁に開口して設けられ、前記外蓋を回すことにより、前記容器本体の内部と前記外蓋の収容物とが連通し、混入物が容器本体の内部の液体に混入可能な連通部とから構成されていることを特徴とする二重蓋にある。
【００１４】
前記構成によれば、外蓋を回して開栓すると、外蓋は容器本体の口部に対して緩められて上昇する。従って、内蓋シール壁に対して外蓋シール壁が上方へ離れ、密閉状態が解除される。さらに、外蓋を回すと、連通部が互いに対向して開口する。連通部とが対向して開口すると、収容部に収容された煎茶葉等の混入物は連通部を通過して容器本体の内部の液体中に落下し、液体に混入物が混入する。混入物が落下したことを確認した後、外蓋を元に状態に施栓し、容器本体を手に持って上下・左右に振ると、液体が攪拌され、液体中に混入物が一様に溶け込んで煎茶水となる。
【００１５】
次に、外蓋を回して開栓すると、外蓋は容器本体の口部から取り外されるが、このとき、外蓋と内蓋の係合部が係合し、内蓋が外蓋と一緒に取り外される。従って、容器本体を傾けてコップに煎茶水を注いだり、そのまま口部から飲用することができる。
【００１６】
外蓋の収容部に収容される混入物は、メーカーが詰めて販売することもでき、ユーザーがミネラルウォーターが収容されている容器を購入し、ユーザーが好みの煎茶等の混入物を外蓋の収容部に収容し、飲用するときにミネラルウォーターに混入して飲用することもできる。また、薬品においても同様にして服用できる。
【００１７】
【発明の実施の形態】
以下、この発明の実施の形態を図面に基づいて説明する。
【００１８】
図１〜図４は第１の実施形態を示し、図１は容器の正面図、図２及び図３は容器本体の口部に装着された二重蓋の縦断側面図、図４（ａ）は外蓋シール壁の横断平面図、（ｂ）は内蓋シール壁の平面図である。
【００１９】
図１に示すように、容器本体１はプラスチック、例えばポリエチレンテレフタレート（ＰＥＴ）製（通称ペットボトル）の丸型容器である。容器本体１は透明もしくは半透明で、ミネラルウォーター等の液体Ｗを収容でき、液体Ｗが外部から透視できるようになっている。また、容器本体１の口部２に着脱可能な二重蓋３が設けられている。
【００２０】
図２及び図３に示すように、二重蓋３は、外蓋４と内蓋５とからなり、これらは例えば透明なプラスチックによって形成されている。外蓋４は、頭部６を有する円筒状で、外蓋４の下端部における内周面には容器本体１の口部２の雄ねじ部７にねじ込まれる雌ねじ部８が形成されている。
【００２１】
外蓋４の内部には外蓋シール壁９が一体に設けられ、外蓋シール壁９の上部に煎茶粉、ウーロン茶粉、ジュース粉等の混入物１０（あるいはコーヒー、ココア、ジュース等の濃縮混入物）を収容する収容部１１が設けられている。さらに、外蓋シール壁９は漏斗状（逆円錐状）に形成され、混入物１０が収容部１１の中央部に集まるように形成されている。
【００２２】
外蓋４の内部に収納された内蓋５は、上部に内蓋シール壁１２を有する円筒状で、その下端部には容器本体１の口部２の内周面に嵌合する嵌合部１３が設けられている。さらに、内蓋シール壁１２は外蓋シール壁９の下面に密接するように漏斗状（逆円錐状）に形成されている。また、内蓋５の外周部には係合部を構成する凸部１４が一体に設けられ、この凸部１４は外蓋４の内周面に形成された環状凹部１５に回転及び上下方向移動自在に嵌合されている。さらに、外蓋４の環状凹部１５における下端部には係合部を構成する環状凸部１６が設けられ、内蓋５の凸部１４と係合するようになっている。
【００２３】
なお、外蓋４の環状凸部１６には内蓋５の凸部１４が軸方向に通過可能な切欠部（図示しない）が設けられている。従って、外蓋４に対して内蓋５を嵌合する際に、内蓋５の凸部１４を外蓋４の環状凸部１６に設けられた切欠部に位置決めして軸方向に挿入することにより、環状凸部１６が環状凹部１５に嵌合できるようになっている。
【００２４】
さらに、図４（ａ）（ｂ）に示すように、外蓋シール壁９には扇状の開口からなる一対の連通部１７が設けられている。内蓋シール壁１２にも扇状の開口からなる一対の連通部１８が設けられている。連通部１７と１８は周方向に９０°位相がずれており、開口していない非連通部１７ａ，１８ａによって連通部１７と１８は閉塞されている。なお、非連通部１７ａ，１８ａは連通部１７，１８を水密に閉塞するためにパッキン等のシール部材を設けてもよく、また、連通部１７，１８の開口縁にパッキン等のシール部材を設け、非連通部１７ａ，１８ａとの圧接によって水密に閉塞するようにしてもよい。
【００２５】
次に、第１の実施形態の作用について説明する。
【００２６】
容器本体１にはその口部２からミネラルウォーター等の液体Ｗが収容されている。外蓋４に対して内蓋５を回し、あるいは内蓋５に対して外蓋４を回して連通部１７と１８とを対向させて連通部１７，１８を開口させる。そして、内蓋５の内側から煎茶粉等の適量の混入物１０を収容部１１に収容する。この状態で、外蓋４に対して内蓋５を回し、あるいは内蓋５に対して外蓋４を回して連通部１７，１８を非連通部１７ａ，１８ａに対向させて連通部１７，１８を水密状態に閉塞する。
【００２７】
そして、二重蓋３を容器本体１の口部２にねじ込み、容器本体１を真空状態に施栓する。なお、これらの手順は、一般に工場の衛生環境下に設置された自動充填機械によって自動的に充填してもよく、ユーザーが好みの煎茶粉等の混入物１０を購入し、外蓋４の収容部１１に収容してもよい。
【００２８】
このように容器本体１にミネラルウォーター等の液体Ｗが充填され、外蓋４の収容部１１に混入物１０が充填された状態にあり、液体Ｗとそれに混入される混入物１０が分離された状態で工場から出荷され、店頭あるいは自動販売機によって販売される。
【００２９】
または、容器本体１にミネラルウォーター等の液体Ｗを充填した状態で工場から出荷され、店頭あるいは自動販売機によって販売し、ユーザーがミネラルウォーターと好みの煎茶粉等の混入物１０を購入し、ユーザー自身が外蓋４の収容部１１に収容してもよい。
【００３０】
飲用する場合、まず外蓋４を回すと、図３に示すように、外蓋４は容器本体１の口部２の雌ねじ部８に対して緩められ、内蓋５に対して空回りして僅かに上昇する。従って、内蓋シール壁１２に対して外蓋シール壁９が上方へ離れ、密閉状態が解除される。さらに、外蓋４が略９０°回ると、連通部１７と１８とが対向して開口する。
【００３１】
連通部１７と１８とが対向して開口すると、収容部１１に収容された煎茶葉等の混入物１０は連通部１７，１８を通過して容器本体１の内部の液体中に落下し、液体Ｗに混入物１０が混入する。混入物１０が全て落下したことを確認した後、外蓋４を元の状態に施栓し、容器本体１を手に持って上下・左右に振ると、液体Ｗが攪拌され、液体Ｗ中に混入物１０が一様に溶け込んで煎茶水となる。
【００３２】
次に、外蓋４を回して開栓すると、外蓋４は容器本体１の口部２から取り外されるが、このとき、外蓋４の凸部１４が内蓋５の環状凸部１６に係合し、内蓋５が外蓋４と一緒に取り外される。従って、容器本体１を傾けてコップに煎茶水を注いだり、そのまま口部２から飲用することができる。
【００３３】
容器本体１の内容物が清涼飲料水の場合、開栓して１回で飲み干すことは少なく、適量だけ飲んだ後、施栓をして保管し、再び開栓して飲むという、数回に亘って飲料する場合が多いが、二重蓋３は外蓋４と内蓋５が一体的であるため、外蓋４を容器本体１の口部２にねじ込み施栓することができる。
【００３４】
なお、前記実施形態においては、混入物が煎茶粉の場合について説明したが、コーヒー、紅茶、ココア、ジュースの粉末あるいは濃縮液についても適用できる。また、清涼飲料水に限定されず、ウイスキー、焼酎等のアルコール類、医薬品を希釈して服用することもできる。従って、液体はミネラルウォーターに限定されるものではない。
【００３５】
また、前記実施形態においては、ポリエチレンテレフタレート製の容器本体について述べたが、他のプラスチック製でもよく、またガラス製でもよい。
【００３６】
【発明の効果】
以上説明したように、この発明によれば、飲用する際に容器本体の蓋体を開栓操作することにより、蓋体に収容された混入物が容器本体に収容された液体と混入し、清涼飲料水においては自分の好みの味に調合することができ、例えば煎茶においては、原産地、栽培環境が明確な煎茶をミネラルウォーターと混入して安心して飲用することができ、また薬品においては、処方箋に従って調合して服用することができるという効果がある。
【図面の簡単な説明】
【図１】この発明の第１の実施形態を示す容器の正面図。
【図２】同実施形態の容器本体の口部に装着された二重蓋の縦断側面図。
【図３】同実施形態の容器本体の口部に装着された二重蓋の縦断側面図。
【図４】同実施形態を示し、（ａ）は外蓋シール壁の横断平面図、（ｂ）は内蓋シール壁の平面図。
【符号の説明】
１…容器本体
２…口部
３…二重蓋
４…外蓋
５…内蓋
９…外蓋シール壁
１０…混入物
１１…収容部
１２…内蓋シール壁
１７，１８…連通部
【図１】
2004155430.tif 000003
【図２】
2004155430.tif 000004
【図３】
2004155430.tif 000005
【図４】
2004155430.tif 000006